(57)【要約】【課題】火害を受けた室以外の室に影響を及ぼす事無く、ＲＣ柱を効率的に補強することのできる補強方法を提供する。【解決手段】火害を受けた既存柱１２の周囲であって、天井側梁２０と、床側梁２２のそれぞれに、複数のアンカー１６を打ち込む工程と、既存柱１２の外周に沿って複数の鉄筋１４を既存柱１２の配置方向に沿って配置すると共に、鉄筋１４の上下端部をアンカー１６に固定する工程と、鉄筋１４を配置した既存柱１２の外周にコンクリート１８を増し打ちする工程と、を有することを特徴とする。【選択図】図１
2017122335.tif 000002
【特許請求の範囲】
【請求項１】
火害を受けたＲＣ柱の周囲であって、天井側に位置する梁と、床側に位置する梁のそれぞれに、複数のアンカーを打ち込む工程と、
前記ＲＣ柱の外周に沿って複数の鉄筋を前記ＲＣ柱の配置方向に沿って配置すると共に、前記鉄筋の上下端部を前記アンカーに固定する工程と、
前記鉄筋を配置した前記ＲＣ柱の外周にコンクリートを増し打ちする工程と、を有することを特徴とする火害を受けたＲＣ柱の補強方法。
【請求項２】
前記鉄筋の端部にアングル材を連結し、
前記アンカーに対する前記鉄筋の固定は、前記アングル材を介して成すことを特徴とする請求項１に記載の火害を受けたＲＣ柱の補強方法。
【請求項３】
前記アングル材は、Ｌ字状を成し、前記鉄筋に接続された面は、前記ＲＣ柱に接するように配置し、
前記アンカーに接続された面は、前記天井側に位置する梁、または前記床側に位置する梁のいずれかに接するように配置されることを特徴とする請求項２に記載の火害を受けたＲＣ柱の補強方法。
【発明の詳細な説明】
【技術分野】
【０００１】
本発明は、ＲＣ柱の補強方法に係り、特に、火害を受けた際のＲＣ柱の補強を行う際に好適なコンクリート柱の補強方法に関する。
【背景技術】
【０００２】
耐震性が注目される中、ＲＣ（Ｒｅｉｎｆｏｒｃｅｄ  Ｃｏｎｃｒｅｔｅ）構造の柱を補強する技術については、種々提案されている。例えば特許文献１に開示されている技術では、既存のＲＣ柱の外周に四隅をアングル材で固定したパネルを配置し、ＲＣ柱とパネルとの間の隙間にモルタル材を配置するというものである。
【０００３】
確かに、このような技術によれば、ＲＣ柱の強度向上を図ることができると考えられる。しかしこれらの技術は、あくまで健全な状態のＲＣ柱の強度を向上させるための技術であり、火害を受けたＲＣ柱を補強する技術については、確立されていない。
【０００４】
これは、建築基準法において、火災を受けたＲＣ柱の再使用に関する記述が無い事にも起因する。例えば普通強度のＲＣ柱では、火害を受けた後に、その表面をはつりするなどして、柱の劣化部分をはがし、健全性の確保が成されている。
【０００５】
一方、高強度ＲＣ柱では、高軸力が付与されることとなるため、上記普通強度のＲＣ柱のように、柱に対してはつり等を施すことができないと考えられる。そこで、高強度ＲＣ柱の補強方法として、柱の外側に鉄筋を配置し、コンクリートの増し打ちを行うという技術が検討されている。
【先行技術文献】
【特許文献】
【０００６】
【特許文献１】特開２００９−１３８４７８号公報
【発明の概要】
【発明が解決しようとする課題】
【０００７】
確かに、上記検討技術によれば、火害を受けた高強度ＲＣ柱を補強し、健全性を確保することが可能であると考えられる。しかし、通常このような補強方法を実施する場合、鉄筋の定着を確実に取るために火害室上下の梁からコアを抜き、プレートナットを介して固定を図る必要があると考えられる。このため、火害を受けた室以外の室にコア抜き作業の労務が発生し、火災階上下階の住民に影響が出てしまうといった問題がある。
【０００８】
そこで本発明では、火害を受けた室以外の室に影響を及ぼす事無く、ＲＣ柱を効率的に補強することのできるＲＣ柱の補強方法を提供することを目的とする。
【課題を解決するための手段】
【０００９】
上記目的を達成するための本発明に係る火害を受けたＲＣ柱の補強方法は、火害を受けたＲＣ柱の周囲であって、天井側に位置する梁と、床側に位置する梁のそれぞれに、複数のアンカーを打ち込む工程と、前記ＲＣ柱の外周に沿って複数の鉄筋を前記ＲＣ柱の配置方向に沿って配置すると共に、前記鉄筋の上下端部を前記アンカーに固定する工程と、前記鉄筋を配置した前記ＲＣ柱の外周にコンクリートを増し打ちする工程と、を有することを特徴とする。
【００１０】
また、上記のような特徴を有する火害を受けたＲＣ柱の補強方法では、前記鉄筋の端部にアングル材を連結し、前記アンカーに対する前記鉄筋の固定は、前記アングル材を介して成すようにすると良い。
このような方法を採用することによれば、既存の鉄筋材料に対して汎用のアングル材を溶接等で連結するだけで良く、鉄筋部材を曲げ加工等する必要が無い。
【００１１】
さらに、上記のような特徴を有する火害を受けたＲＣ柱の補強方法では、前記アングル材は、Ｌ字状を成し、前記鉄筋に接続された面は、前記ＲＣ柱に接するように配置し、前記アンカーに接続された面は、前記天井側に位置する梁、または前記床側に位置する梁のいずれかに接するように配置されることが望ましい。
このような配置形態を採ることにより、高さ方向、横方向共にアングル材の固定面に対する当接面が確保される。よって、鉄筋を安定して配置することが可能となる。
【発明の効果】
【００１２】
上記のような特徴を有する火害を受けたＲＣ柱の補強方法によれば、火害を受けた室以外の室に影響を及ぼす事無く、ＲＣ柱を効率的に補強することができる。
【図面の簡単な説明】
【００１３】
【図１】火害を受けたＲＣ柱を補強した状態を示す側面図である。
【図２】図１に示した範囲Ａを示す部分拡大図である。
【図３】図１における柱のＢ−Ｂ矢視を示す図である。
【図４】健全な柱と火害を受けた柱、および補強柱の曲げモーメントに対する剛性および耐力の傾向を示すグラフである。
【図５】火害を受けた室の天井側梁と床側梁にアンカーを打ち込んだ様子を示す図である。
【図６】天井側梁と床側梁に打ち込んだアンカーに鉄筋を固定した様子を示す図である。
【図７】アンカーに固定した鉄筋をコンクリートで被覆し、補強柱を構成した様子を示す図である。
【発明を実施するための形態】
【００１４】
以下、本発明の火害を受けたＲＣ柱の補強方法について、図面を参照して詳細に説明する。まず、図１から図３を参照して、本実施形態に係る火害を受けたＲＣ柱の補強方法（以下、単に補強方法と称す）を適用して構成される補強後のＲＣ柱について説明する。なお、図１は、火害を受けたＲＣ柱を補強した状態を示す側面図である。また、図２は、図１に示した範囲Ａを示す部分拡大図である。また、図３は、図１における柱のＢ−Ｂ矢視を示す図である。
【００１５】
補強後のＲＣ柱（以下、補強柱１０と称す）は、火害を受けた柱（以下、既存柱１２と称す）と、鉄筋１４、アンカー１６、およびコンクリート１８を基本として構成されることとなる。
【００１６】
鉄筋１４は、既存柱１２の外周に沿って配置される補強部材である。棒状の鉄筋１４は、それぞれ既存柱１２の配置方向に沿って並列に複数配置される。図１から図３に示す形態の場合、各鉄筋１４の上下端部には、アングル材１４ａが溶接されている。鉄筋１４の上下端部に溶接されたアングル材１４ａを合わせた長さは、既存柱１２が配置された室の天井側に位置する梁（以下、天井側梁２０と称す）と床側に位置する梁（以下、床側梁２２と称す）の間隔と同じ長さとすると良い。また、鉄筋１４に溶接された各アングル材１４ａは、Ｌ字状に形成されており、天井側、床側に位置する各アングル材１４ａは、天井側梁２２に対向、接触する面と、床側梁２２に対向、接触する面をそれぞれ有する。なお、このような構成の鉄筋１４を既存柱１２に沿って配置した場合、アングル材１４ａの鉄筋１４に溶接した側の面は、既存柱１２に対向、接触することとなる。
【００１７】
アンカー１６は、上述した鉄筋１４を固定するための要素である。よって、アンカー１６は、鉄筋１４の数に応じて、鉄筋１４の数の２倍の数が配置される。鉄筋１４の上下端部を固定するためである。アンカー１６は、天井側梁２０と、床側梁２２のそれぞれに設けられ、鉄筋１４に溶接されたアングル材１４ａを固定する事で、鉄筋１４の固定を成す。アンカー１６は、天井側梁２０、床側梁２２共に、その上下に位置する室に影響を及ぼさない深さで打ち込みが成されている。アンカー１６は、長ネジなどであれば良い。アンカー１６に対するアングル材１４ａの固定にナットを採用することができるからである。
【００１８】
アンカー１６に固定された鉄筋１４の外周は、増し打ちするコンクリート１８により被覆されている。鉄筋１４の錆防止、引張応力、圧縮応力、およびせん断応力などへの耐力を強化するためである。なお、増し打ちするコンクリート１８の厚みは、既存柱１２の１辺（又は直径）の長さ等に応じて定めるようにすれば良い。また、既存柱１２の外周に沿って配置する鉄筋１４の数は、既存柱１２の内部に埋め込まれている鉄筋の数よりも少なくすることができる。
【００１９】
このような構造とされる補強柱１０は。図４に示すように、火害を受けていない健全なＲＣ柱と同等の剛性、および耐力を得ることができる。
【００２０】
以下、図５から図７を参照して、本実施形態に係る補強方法について説明する。
まず、火害を受けた既存柱１２の存在する室の天井側梁２０と床側梁２２のそれぞれに、鉄筋１４を固定するためのアンカー１６を打ち込む。アンカー１６の打ち込みは、火害を受けた室の上下に位置する室に影響を及ぼさない深さで穿孔された孔にアンカーを配置し、固定すれば良い（図５参照）。
【００２１】
次に、長手方向両端部にアングル材１４ａを溶接した鉄筋１４を既存柱１２の配置方向に沿って配置し、アングル材１４ａをアンカー１６に固定する。なお、鉄筋１４に対するアングル材１４ａの溶接は、資材搬入時に予め成されていても良いし、現場合わせで溶接を行うようにしても良い（図６参照）。
【００２２】
既存柱１２の周囲に複数の鉄筋１４を配置、固定した後、鉄筋１４を覆うようにコンクリート１８を増し打ちする。ここで、増し打ちするコンクリート１８の厚みは、既存柱１２の１辺の長さ等に応じて定めるようにすれば良い（図７参照）。
【００２３】
このような補強方法によれば、天井側梁２０や床側梁２２に対してコア抜きを施す事が無い。このため、補強にあたり、火害を受けた室の上下に位置する室に影響を及ぼすことが無い。また、アンカー１６を固定するための穿孔を行えば良いため、コア抜き作業に比べて労力の軽減、および作業の効率化を図ることができる。また、天井側梁２０や床側梁２２に対してコア抜きを施し、鉄筋をプレートナットで固定する場合に比べて、鉄筋１４を既存梁１２に近接させて配置することができる。よって、増し打ちするコンクリート１８の厚みを薄くした場合であっても、補強材としての鉄筋１４をコンクリート１８で覆うことができる。
【符号の説明】
【００２４】
１０………補強柱、１２………既存柱、１４………鉄筋、１４ａ………アングル材、１６………アンカー、１８………コンクリート、２０………天井側梁、２２………床側梁。
【図１】
2017122335.tif 000003
【図２】
2017122335.tif 000004
【図３】
2017122335.tif 000005
【図４】
2017122335.tif 000006
【図５】
2017122335.tif 000007
【図６】
2017122335.tif 000008
【図７】
2017122335.tif 000009